(57)【要約】      （修正有）【課題】スライドロック式構造を採用してアダプタ方向に制限を設ける必要がなくなり、またスリーブホルダの隅所がシャッタ板の開放時に接触してしまう虞れがなく、ガイド性を向上させ、且つＬＣ型光コネクタプラグをコンパクトに収納可能とするＬＣ型２心シャッタ付きアダプタを提供する。【解決手段】アダプタＱは、左右壁面に係止突起４を備え且つ上壁面にアーム６を備えた上蓋ハウジング１と、上蓋ハウジング１の開口側に起立方向に配したシャッタ板３と、割スリーブ２５を挟み込む一方の円筒２１と他方の円筒２３とによるスリーブホルダ２０と、係止突起４を嵌め合うための被係止孔部３６Ａを左右壁面３４、３４に備え且つアーム６を係止する係止凹部３５を上壁面に備えた下蓋ハウジング３０と、上蓋ハウジング１の下端に、前記下蓋ハウジング３０の底板３２先端に突設した嵌合突起３１を挿入するための透孔１３とを有する。【選択図】図１
2020067602.tif 000002
【特許請求の範囲】
【請求項１】
左右壁面に係止突起を備え且つ上壁面にアームを備えた上蓋ハウジングと、当該上蓋ハウジングの開口側に起立方向に配した開閉自在なシャッタ板と、割スリーブを内蔵するスリーブホルダと、前記係止突起を嵌め合うための被係止孔部を左右壁面に備え且つ前記アームを係止する係止凹部を上壁面に備えた下蓋ハウジングと、前記スリーブホルダを挟みつつ上蓋ハウジングと下蓋ハウジングとを、前記アームと係止凹部、前記係止突起と被係止孔部との係合により連結構成してなることを特徴とするＬＣ型２心シャッタ付きアダプタ。
【請求項２】
互いに連結した両ハウジングの下蓋ハウジングには、左右ラッチまたは上下ラッチを切り替え自在に具備したことを特徴とする請求項１記載のＬＣ型２心シャッタ付きアダプタ。
【請求項３】
前記シャッタ板の開閉の際に、当該シャッタ板の上辺が前記スリーブホルダに接触しないように当該スリーブホルダの端面を上側から下側にかけて下向傾斜面状に形成してなることを特徴とする請求項１記載のＬＣ型２心シャッタ付きアダプタ。
【請求項４】
前記シャッタ板の密閉時において、上端両側には密閉性向上及びストッパ機能を奏するよう、端縁に沿ってアダプタハウジングの係止壁に当接するＬ型の突条部を備えた切欠部を設けたことを特徴とする請求項１記載のＬＣ型２心シャッタ付きアダプタ。
【請求項５】
前記シャッタ板下端の突起を支承する保持部を上蓋ハウジングの後方に配設し、前記上蓋ハウジング前端の保持壁の厚みを増大させたことを特徴とする請求項４記載のＬＣ型２心シャッタ付きアダプタ。
【請求項６】
前記上蓋ハウジングの下端に、前記下蓋ハウジングの底板先端に突設した嵌合突起を挿入するための透孔を設けたことを特徴とする請求項１記載のＬＣ型２心シャッタ付きアダプタ。
【請求項７】
前記シャッタ板の起立保持のために板バネを配し、この板バネの中央には、光の一部を透過させるための透過部を設けたことを特徴とする請求項１記載のＬＣ型２心シャッタ付きアダプタ。
【請求項８】
前記板バネの中央上端に前記透過部として略Ｕ字状の切込みあるいは孔からなる透過孔を設けたことを特徴とする請求項１記載のＬＣ型２心シャッタ付きアダプタ。
【発明の詳細な説明】
【技術分野】
【０００１】
本発明は、一対の対向するＬＣ型光コネクタプラグを相互接続するためのＬＣ型２心シャッタ付きアダプタに関する。
【背景技術】
【０００２】
従来では、図２０、図２１および図２２に示すＬＣ型２心シャッタ付きアダプタＱは、その組み立てに際して超音波溶接を採用するための専用の装置が使用されていた。そして、プラグＰのフェルールＦを囲繞するカップリングスリーブＧでシャッタ板１０４を押し退けてから、前記アダプタＱ内部のスリーブホルダ１０６に前記フェルールＦを嵌合するように形成される。このとき、操作レバー１０５はプラグの挿入に合わせてアダプタＱの傾斜面によって自動的に押圧降下する。図２１に示すアダプタＱは、前面が傾斜した扉面部１０２となした、下方開口のアダプタハウジング１０３に前記専用の装置を使った溶着により底板１００ｃを取り付けることで矩形状の筒体となって形成される。
【０００３】
他方、図２１に示すアダプタＱは、上側壁１００ａと左右の側壁１００ｂとが一体となったアダプタハウジング１０３が形成されるとともに、さらに底壁１００ｃがアダプタハウジング１０３の上側壁１００ａに対向して左右の側壁１００ｂ間に取り付けられることで全体として、一対の対向するＬＣ形光コネクタプラグＰ、Ｐを両端から相互に挿入可能とする嵌合部Ａ、Ｂを両端に備えた矩形状の筒体となって形成される。そして、前記底壁１００ｃをアダプタハウジング１０３の底部開放側に取り付けて左右の側壁１００ｂに固定するための角筒状のホルダ１０１が前記アダプタＱの前側に装着される。
【０００４】
また、前記ＬＣ型２心シャッタ付きアダプタとしては、例えば、特許文献１に示すように、シャッタ板には嵌合前から斜め上方向側から挿入したフェルール先端部を非接触状態で受け入れるための逃げ部を設け、また前記シャッタ板は前記逃げ部によってフェルール先端部を非接触状態で受け入れると同時に当該フェルール周囲を覆うように具備したカップリングスリーブの先端開口縁部によって前記シャッタ板を押し退け開放させるものとしたＬＣ型光コネクタの防塵シャッタ内蔵アダプタが公知である。
【０００５】
また、特許文献２に示すように、各種の凹凸形状を有するＬＣ型光コネクタプラグの嵌入作業時における作業者の身体、特に目に重大な危害を与えてしまうのを未然に防止するために、コネクタハウジングの側壁内側には、ＬＣ型光コネクタプラグを嵌合部より挿入ガイドするカイド溝状と、シャッタ板の揺動に適合する窪み部とを有し、前記ガイド溝条は前記窪み部の形成によって同一平面状となるようにカイド溝条の一部を切欠してなるものとしたＬＣ型光コネクタ相互接続用アダプタが公知である。
【０００６】
さらに、特許文献３に示すように、シャッタ板の可動部側面（上部肩側の切欠部と、下部左右両側の突部と、を含む側面）は、開方向（下側）に揺動するが、シャッタ板の上部左右両側（上部中央の突部を介しての左右肩側）には、上部中央の突部と連続するように切欠部が形成されているため、シャッタ板の開放側回動時に前記ラッチ片との接触が回避される。すなわち、開放側回動時にシャッタ板の切欠部はコネクタハウジングの内部両側に対向して設けられているラッチ片の根元箇所を通過させるため、アダプタ本体全体の長さが小さくても、シャッタ板の開放側回動時に当該シャッタ板自体は前記ラッチ片と干渉しないＭＵ型光コネクタ用シャッタ付アダプタが公知である。
【先行技術文献】
【特許文献】
【０００７】
【特許文献１】特開２０１５−０５９９４１号公報
【特許文献２】特開２０１４−１３９６３３号公報
【特許文献３】特開２０１５−２１９３４６号公報
【発明の概要】
【発明が解決しようとする課題】
【０００８】
しかしながら、前記した従来のＬＣ型２心シャッタ付きアダプタＱは、その組み立てに際して超音波溶接を使用していたため、専用の装置が必要であった。特に、カセット等に取り受ける際にはアダプタＱの方向に制限があった。
【０００９】
また、図２２に示すアダプタＱでは、下方開口のアダプタハウジング１０３に溶着により底板１００ｃを取り付ける構成であるため、経年劣化や隣接する他のアダプタとの接触等により当該底板１００ｃが剥離する虞があった。
【００１０】
また、上記した特許文献１では、フェルール周囲を覆うように具備したカップリングスリーブの先端開口縁部によってシャッタ板を押し退け開放させるものとしたが、この場合、シャッタ板の開閉の際には、当該シャッタ板の寸法誤差によりスリーブホルダの端部が接触してしまう虞がある。しかも、従来はシャッタ板下方の支持用の突起がハウジング前方に位置して前端の突起保持部の厚みが小さく脆弱化すると共に、閉塞時には高い位置に設定されているため、シャッタ板の回転時の干渉部は大きくなり、ガイド性能が低下すると共に、嵌合したプラグの曲げ耐加重は小さくなるという問題があった。
【００１１】
また、特許文献２の場合では、特にスリーブホルダは、フェルールの先端が挿入される開口部分が垂直端面に形成されているため、開閉回動時においてシャッタ板の下方部分が接触し易いという問題があった。
【００１２】
さらに、特許文献３の場合には、シャッタ板の上端両側に設けられた切欠部が、シャッタ板の開放回動時に、コネクタハウジング（アダプタハウジング）の内部両側に設けられたラッチ片との接触を回避するように形成されているため、シャッタ板の閉鎖回動時にコネクタハウジングとの間で隙間が生じ易く、光の漏洩や塵芥等の混入を招く虞があった。
【００１３】
そこで、本発明は、叙上のような従来存した諸事情に鑑み案出されたもので、シャッタ付きアダプタの組み立てに際してスライドロック式構造を採用することで、カセットに取り付ける際には、アダプタの方向に制限を設ける必要がなくなり、またスリーブホルダがシャッタ板の開放時に接触してしまう虞れがなく、さらに、アダプタハウジング内部とシャッタ間の密閉性、シャッタ自体のガイド性及び保持強度を向上させ、且つＬＣ型光コネクタプラグをコンパクトに収納可能としたＬＣ型２心シャッタ付きアダプタを提供することを目的とする。
【課題を解決するための手段】
【００１４】
上述した課題を解決するために、本発明にあっては、左右壁面に係止突起を備え且つ上壁面にアームを備えた上蓋ハウジングと、当該上蓋ハウジングの開口側に起立方向に配した開閉自在なシャッタ板と、割スリーブを内蔵するスリーブホルダと、前記係止突起を嵌め合うための被係止孔部を左右壁面に備え且つ前記アームを係止する係止凹部を上壁面に備えた下蓋ハウジングと、前記スリーブホルダを挟みつつ上蓋ハウジングと下蓋ハウジングとを、前記アームと係止凹部、前記係止突起と被係止孔部との係合により連結構成してなることを特徴とする。
【００１５】
互いに連結した両ハウジングの下蓋ハウジングには、左右ラッチまたは上下ラッチを切り替え自在に具備したことを特徴とする。
【００１６】
前記シャッタ板の開閉の際に、当該シャッタ板の上辺が前記スリーブホルダに接触しないように当該スリーブホルダの端面を上側から下側にかけて下向傾斜面状に形成してなることを特徴とする。
【００１７】
前記シャッタ板の密閉時において、上端両側には密閉性向上及びストッパ機能を奏するよう、端縁に沿ってアダプタハウジングの係止壁に当接するＬ型の突条部を備えた切欠部を設けたことを特徴とする。
【００１８】
前記シャッタ板下端の突起を支承する保持部を上蓋ハウジングの後方に配設し、前記上蓋ハウジング前端の保持壁の厚みを増大させたことを特徴とする。
【００１９】
前記上蓋ハウジングの下端に、前記下蓋ハウジングの底板先端に突設した嵌合突起を挿入するための透孔を設けたことを特徴とする。
【００２０】
前記シャッタ板の起立保持のために板バネを配し、この板バネの中央には、光の一部を透過させるための透過部を設けたことを特徴とする。
【００２１】
前記板バネの中央上端に前記透過部として略Ｕ字状の切込みあるいは孔からなる透過孔を設けたことを特徴とする。
【発明の効果】
【００２２】
本発明によれば、シャッタ付きアダプタの組み立てにスライドロック式構造を採用することで、カセットに取り付ける際には、アダプタの方向に制限を設ける必要がなくなり、またスリーブホルダの端面がシャッタ板の開放時に接触してしまう虞れがなく、さらにアダプタハウジング内部とシャッタ間の密閉性、シャッタ自体のガイド性及び保持強度を向上させ、且つＬＣ型光コネクタプラグをコンパクトに収納可能としたＬＣ型２心シャッタ付きアダプタを提供することができ、これによって諸々の光コネクタプラグのセキュリティシステムを構築可能にする。
【００２３】
すなわち、これは左右壁面に係止突起を備え且つ上壁面にアームを備えた上蓋ハウジングと、当該上蓋ハウジングの開口側に起立方向に配したシャッタ板と、割スリーブを内蔵したスリーブホルダと、前記係止突起を嵌め合うための被係止孔部を左右壁面に備え且つ前記アームを係止する係止凹部を上壁面に備えた下蓋ハウジングと、前記スリーブホルダを挟みつつ上蓋ハウジングと下蓋ハウジングとを、前記アームと係止凹部、前記係止突起と被係止孔部との係合により連結構成してなるので、このスライドロック式による連結構造によって、簡易且つ低コストにてＬＣ型２心シャッタ付きアダプタを提供することができ、超音波溶接機等の専用な設備が不要となったものである。
【００２４】
互いに連結した両ハウジングの下蓋ハウジングには、左右ラッチまたは上下ラッチを切り替え自在に具備したので、上下又は左右いずれかのワンタッチ作業によって、容易に取り付けプレートに固定される。
【００２５】
前記シャッタ板の開閉の際に、当該シャッタ板の上辺が前記スリーブホルダに接触しないように当該スリーブホルダの端面を上側から下側にかけて下向傾斜面状に形成してなるのでコンパクトにシャッタ板をアダプタハウジングに収納可能とすることができる。
【００２６】
前記シャッタ板の密閉時において、上端両側には端縁に沿ってアダプタハウジングの係止壁に当接するＬ型の突条部を備えた切欠部を設けたので、前記シャッタ板の密閉時において、当該位置でのストッパ機能を奏すると共に、光の漏洩防止やアダプタハウジング内の密閉性を向上させることができ、且つシャッタ板回転時の干渉部を減らし、当該シャッタ板のガイド性を向上することができる。
【００２７】
前記シャッタ板下端の突起を支承する保持部を上蓋ハウジングの後方に配設し、保持壁前端との厚みを増大させたものであるから、シャッタ板の保持強度が向上し、これによってアダプタに嵌合したコネクタプラグを曲げたときの耐荷重をより大きくすることができる。
【００２８】
前記上蓋ハウジングの下端に、前記下蓋ハウジングの底板先端に突設した嵌合突起を挿入するための透孔を設けたので、上蓋ハウジングからの底板の脱落を確実に防ぐことができる。
【００２９】
前記シャッタ板の起立保持のために板バネを配し、この板バネの中央には、光の一部を透過させるための透過部として例えば略Ｕ字状あるいは孔からなる透過孔を設けたので、可視光を通してシャッタ板から透過した光で導通確認がしやすいものである。
【図面の簡単な説明】
【００３０】
【図１】本発明を実施するための一形態を示す分解斜視図である。
【図２】上蓋ハウジングを示し、（ａ）は平面図、（ｂ）は側面図、（ｃ）は底面図、（ｄ）は正面図、（ｅ）は背面図、（ｆ）は斜視図である。
【図３】下蓋ハウジングを示し、（ａ）は平面図、（ｂ）は側面図、（ｃ）は底面図、（ｄ）は正面図、（ｅ）は背面図、（ｆ）は斜視図である。
【図４】組み立て後の状態を示すもので、（ａ）は平面図、（ｂ）は側面図、（ｃ）は底面図、（ｄ）は正面図、（ｅ）は背面図である。
【図５】組み立て後の状態を示すもので、（ａ）は斜め前方から見た状態の斜視図、（ｂ）は斜め後方か見た状態の斜視図、（ｃ）は図４（ｅ）のＡ−Ａ断面図、（ｄ）は図４（ｅ）のＢ−Ｂ断面図である。
【図６】左右ラッチを装着した組み立て後の状態を示すもので、（ａ）は平面図、（ｂ）は側面図、（ｃ）は底面図、（ｄ）は正面図、（ｅ）は背面図である。
【図７】左右ラッチを装着した組み立て後の状態を示すもので、（ａ）は斜め前方から見た状態の斜視図、（ｂ）は斜め後方か見た状態の斜視図である。
【図８】開口部の要部を斜め前方から見た状態を示す斜視図である。
【図９】組み立て後の状態を示すもので、（ａ）は図６（ｅ）のＣ−Ｃ断面図、（ｂ）は図６（ｅ）のＤ−Ｄ断面図、（ｃ）は図６（ｅ）のＥ−Ｅ断面図である。
【図１０】左右ラッチを示すもので、（ａ）は平面図、（ｂ）は側面図、（ｃ）は底面図、（ｄ）は正面図、（ｅ）は背面図、（ｆ）は斜視図である
【図１１】上下ラッチを示すもので、（ａ）は平面図、（ｂ）は側面図、（ｃ）は底面図、（ｄ）は正面図、（ｅ）は背面図、（ｆ）は斜視図である
【図１２】スリーブホルダの構成部材たる円筒を示すもので、（ａ）は平面図、（ｂ）は側面図、（ｃ）は底面図、（ｄ）は正面図、（ｅ）は背面図、（ｆ）は斜め前方から見た斜視図、（ｇ）は斜め後方から見た斜視図である。
【図１３】シャッタ板を示すもので、（ａ）は平面図、（ｂ）は側面図、（ｃ）は底面図、（ｄ）は正面図、（ｅ）は背面図、（ｆ）は斜め前方から見た斜視図、（ｇ）は斜め後方から見た斜視図である。
【図１４】金属バネを示し、（ａ）は平面図、（ｂ）は側面図、（ｃ）は底面図、（ｄ）は正面図、（ｅ）は背面図、（ｆ）は斜め前方から見た斜視図、（ｇ）は斜め後方から見た斜視図である。
【図１５】取り付けプレートに上下ラッチによってアダプタを取り付ける状態を示すもので、（ａ）は平面図。（ｂ）は側面図である。
【図１６】取り付けプレートに上下ラッチによってアダプタを取り付ける状態を示すもので、（ａ）は平面図。（ｂ）は側面図である。
【図１７】ＬＣ型２心を３つ並べて装着した状態のアダプタであって、（ａ）は平面図、（ｂ）は正面図、（ｃ）は（ａ）のＥ−Ｅ断面図、（ｄ）は斜視図である。
【図１８】従来例と本実施形態との間のシャッタ板の取り付け例を挙げる断面図であって、（ａ）は従来例の断面図、（ｂ）は本実施形態の断面図である。
【図１９】本実施形態におけるアダプタにプラグを挿入した断面図である。
【図２０】従来例におけるアダプタにプラグを挿入した断面図である。
【図２１】従来例におけるアダプタを示し（ａ）は分解斜視図、（ｂ）は組み立て後の斜視図である。
【図２２】従来例におけるアダプタを示し（ａ）は分解斜視図、（ｂ）は組み立て後の斜視図である。
【発明を実施するための形態】
【００３１】
以下、図面を参照して本発明に係るＬＣ型２心シャッタ付きアダプタ（以後、「アダプタＱ」と称す）の実施の一形態を詳細に説明する。
【００３２】
本実施形態に係るアダプタＱは、図１乃至図９に示すように、中間のスリーブホルダ２０を介して、上蓋ハウジング１と下蓋ハウジング３０とを合体させたスライドロック式構造による組み立て機構となっている。
【００３３】
すなわち、前記上蓋ハウジング１は、図１、図２に示すように、前面に開口部２と、該開口部２の内側に起立配置したシャッタ板３と、左右側壁面１Ｂ、１Ｃとの後部に各形成した前記下蓋ハウジング３０側面の被係止孔部３６Ａに係合させる係止突起４と、上壁面１Ａのやや下方から後方へ突出した平板５と、前記下蓋ハウジング３０の後部中央に設けられた係止凹部３５に係合するよう、前記平板５の中央で後方に突出し且つ下向きに係止部６Ａを先端に備えたアーム６とから成っている。また、前記上蓋ハウジング１の前部下端には３つの透孔１３を設け、前記下蓋ハウジング３０の底部３２先端に形成された３コの嵌合突起３１をそれぞれ嵌め合い可能にしてある。
【００３４】
前記シャッタ板３は、図１、図５（ｄ）、図８、図９（ｂ）に示すように、前記上蓋ハウジング１前面の開口部２の内側において形成した左右の窪み部７に沿って、斜め配置の閉塞状態から水平配置の開蓋状態に移行するよう、金属性の板バネ８によって支えられている。すなわち、一方のシャッタ板３の下側に形成された左右に通じた突起９が、前記一方の開口部２の内側において左壁面と内壁面とに貫通した透孔９Ａに通され、他方のシャッタ板３の下側に形成された左右に通じた突起９が、前記他方の開口部２の内側において内壁面と右壁面とに貫通した透孔９Ａに通され、両シャッタ板３、３は中央の中央隔壁１Ｄを介して左右一対となって配されている。このシャッタ板３はその下側に配した突起９の外側に丸めて配置した金属性の板バネ８によって常に上方に起立するように弾性保持してある。
【００３５】
さらに、前記シャッタ板３は、図１、図８、図１４に示すように、当該シャッタ板３の密閉時において、その左右上側には切欠部１０が成形され、これら切欠部１０の端縁にはＬ型の突条部３ａがそれぞれ突設されている。すなわち、この切欠部１０のＬ型の突条部３ａは、前記上蓋ハウジング１の開口部２近傍の左右側壁面１Ｂ、１Ｃ内側面及び中央隔壁１Ｄの外側面にそれぞれ形成された係止壁７Ａの縁部に前記開口部２後方へ斜め配置となって当接保持され、当該開口部２を密閉性に優れた状態において閉鎖するようになっている。尚、図中２７はプラグＰの挿入性向上（シャッタ３回転時の干渉部を減らしガイド性を向上）させるために、前記上蓋ハウジング１の左右側壁面１Ｂ、１Ｃ内側において、後述するスリーブホルダ２０の上方に設けられた角型突起部である。
【００３６】
また、図９（ｂ）、図１８（ｂ）に示すように、前記上蓋ハウジング１の下端におけるシャッタ板３の下端の突起９を保持する保持部２ａは上蓋ハウジング１の後方に位置しているため、ハウジングの前端下方に設けられた保持壁２ｂは前後方向の厚みが増加している。こうすることによって、シャッタ板３の取付箇所の強度は向上し、またシャッタ板３の高さを低くでき、しかもシャッタ板３の脱落を未然に防いでいる。尚、前記シャッタ板３の正面約中央には矩形状等に形成した逃げ部１１が設けられ、該逃げ部１１の中間は透光性を有する薄板で形成されている。
【００３７】
前記シャッタ板３の起立保持のために板バネ８は、図１４に示すように、その中央に光の一部を透過させるための透過部１２を設けている。すなわち、前記板バネ８は、その下側部分８Ａが前記シャッタ板３の下側の突起９を外側から丸め込むようにＵ字状に形成され、その上側部分８Ｂが逆の方向に湾曲している。この逆の方向に湾曲した上側部分８Ｂの上端部中央からは前記逃げ部１１に対応すべくＵ字状の透過孔１２ａが形成されている。したがって、光はこの透過孔１２ａを通過して中間が薄板に形成された逃げ部１１にあたり、これによって表側から光が見えることとなる。尚、前記透過部１２には、本実施形態ではＵ字状の透過孔１２ａとして形成されているが、他の形態、例えば丸い孔などからなる透過孔１２ａとして形成しても良い。
【００３８】
前記スリーブホルダ２０は、図１、図５（ｃ）、図５（ｄ）、図９（ａ）、図１２に示すように、前面側に二つの一方の円筒２１、２１を備えた前ホルダ部２２と、後面側に二つの他方の円筒２３、２３を備えた後ホルダ部２４とが、中央に二つの割スリーブ２５、２５を介して接合させることで形成される。そして、前記スリーブホルダ２０の両端、すなわち前面側の円筒２１、２１と後面側の円筒２３、２３の各先端には上側から下方に向けて下向傾斜面２６、２６が各形成してある。尚、使用の状況に応じて前記スリーブホルダ２０の片端のみ下向傾斜面２６を形成しても良い。
【００３９】
前記下蓋ハウジング３０は、下側が前記上蓋ハウジング１の前方下端に配した３つの透孔１３に合致させる底部３２と、後部の上側に備えた中央隔壁３３および左右壁面３４、３４とを有し、中央隔壁３３の後端部上側には前記上蓋ハウジング１上方後部中央に設けたアーム６が先端下方の係止部６Ａを介して係止させる係止凹部３５を備えている。
【００４０】
そして、図１に示すように、前記下蓋ハウジング３０の左右壁面３４、３４には前方に向けてそれぞれ支持面部３６が形成され、この支持面部３６の中央に被係止孔部３６Ａを設け、前記被係止孔部３６Ａが前記上蓋ハウジング１の左右側壁面１Ｂ、１Ｃの後部に各突設した係止突起４に係合するようになっている。また、これら左右壁面３４、３４の各上端と中央隔壁３３の左右一対の各上端との後端部の上側は互いにカバー体３９により覆われており、これらの上下対象になる中央には左右ラッチ４０の両端の係止孔３８に挿入されて固定させる係止突起３７が形成されている。尚、前記下蓋ハウジング３０の後端にはフランジ部２８が設けてある。
【００４１】
前記左右ラッチ４０は、図１０に示すように、前記下蓋ハウジング３０の左横側と右横側に被せるための２つの同一構造によるものからなっている。すなわち、前記左右ラッチ４０は横側に被せるための長尺な胴部４１と、上下半分を覆う短尺な脇部４２とを備えた正面コ字枠状のものとし、長尺な胴部４１の端部からは先端がへの字状に折り曲げた３つの切片４１Ａ、４１Ｂ、４１Ｃと、短尺な脇部４２の端部からは先端がへの字状に折り曲げた各１つの切片４２Ａとを備えている。
【００４２】
一方、前記左右ラッチ４０の代わりに、図１１に示すように、必要に応じて上下ラッチ５０が切り替え可能に形成することができる。すなわち、この上下ラッチ５０は、長尺な胴部５１の端部には何もなく、短尺な脇部５２の端部からは先端がへの字状に折り曲げた各２つの切片５２Ａ、５２Ｂを備えている。前記左右ラッチ４０の胴部４１及び上下ラッチ５０の胴部５１は前記下蓋ハウジング３０後端に設けられたフランジ部２８によって抜脱が防止される。尚、これら左右ラッチ４０、上下ラッチ５０は共に金属製などのバネ材にて構成される。
【００４３】
以上要するに、本発明に係るアダプタＱは、図１８（ａ）に示すように、従来はシャッタ板３の突起９の前端に位置した保持部２ａの保持壁２ｂが厚さの薄いＣとなり且つ閉塞時には長いＡ幅の位置に来ている。これに対して、本実施例では、図１８（ｂ）に示すように、突起９を保持する保持部２ａが後退して厚さがＣよりも大きなＤ幅となり且つ閉塞時の長さはＢ幅の位置にある。すなわち、従来ではＡの間隔が長いためＣの間隔が薄くなるのに対して、本実施形態では、Ｂの間隔が短いため、保持壁２ｂの幅Ｄが厚くできると共に、前記スリーブホルダ２０の端面が、図１８（ｂ）に示す幅Ｅを具有する下向傾斜面２６が形成されているため、前記シャッタ板３の回転時の干渉部を減らし、ガイド性を向上でき、さらに、嵌合したプラグＰの曲げ耐加重を大きくすることができ、且つアダプタ全体のコンパクト化が可能となる。
【００４４】
こうして、図１９に示しように、アダプタＱの開口部２のシャッタ板３に向けてプラグＰの先端が挿入される。このとき、既述したように、操作レバー７０が下方に自動的に押圧降下してプラグＰが挿入されることで、シャッタ板３は水平状態に倒される。すると、このシャッタ板３の円弧軌跡上に、一方の円筒２１、２１が存在しないので（すなわち下向傾斜面２６があるため）、前記シャッタ板３はスリーブホルダ２０に接触することなくスムーズに開けられる。
【００４５】
また、アダプタＱを使用しないときには、閉鎖されているシャッタ板３の逃げ部１１に、後方から光が透過するため、表側からその光の一部が見えることとなる。したがって、アダプタＱの後方より相手側のプラグＰが挿入されているか否かを即座に判断することができる。
【００４６】
次に、以上のように構成された形態についての使用動作の一例について説明する。
本実施形態の使用時には、図１５に示すように、まず取り付けプレート５３にアダプタＱを取り付ける。このとき前記下蓋ハウジング３０にある上下ラッチ５０において各２つの切片５２Ａ、５２Ｂのうち長い方の切片５２Ｂが潰れて取り付けプレート５３の開口部５３Ａに収まる。そして、短い方の切片５２Ａが取り付けプレート５３の開口部５３Ａの手前で圧保持される。
【００４７】
一方、図１６に示すように、下蓋ハウジング３０にある左右ラッチ４０において各３つの切片４１Ａ、４１Ｂ、４１Ｃのうち長い方の切片４１Ａ、４１Ｃと、上下各１つの切片４２Ａが潰れて取り付けプレート５３の開口部５３Ａに収まる。そして、短い方の切片４１Ｂが取り付けプレート５３の開口部５３Ａの手前で弾性保持される。
【００４８】
また、図１７に示すように、２心のアダプタＱが３個を配置させる場合には、まずケーシング６０の開口部６１にこれらアダプタＱが３個をまとめて挿入する。このとき、前記ケーシング６０の開口部６１近傍の上下両面にはそれぞれ２個の小孔６２が設けられ、これに左右ラッチ５０の短い方の切片５２Ａが係合する。而して、３個のアダプタＱはケーシング６０に並列に取り付けられる。図１７（ｃ）において、３はシャッタ板、２０は両端に下向傾斜面が設けられたスリーブホルダを示す。
【符号の説明】
【００４９】
Ｑ                      アダプタ
１                      上蓋ハウジング
１Ａ                    上壁面
１Ｂ、１Ｃ              左右側壁面
１Ｄ                    中央隔壁
２                      開口部
２ａ                    保持部
２ｂ                    保持壁
３                      シャッタ板
３ａ                    突条部
４                      係止突起
５                      平板
６                      アーム
６Ａ                    係止部
７                      窪み部
７Ａ                    係止壁
８                      板バネ
８Ａ                    下側部分
８Ｂ                    上側部分
９                      突起
９Ａ                    透孔
１０                    切欠部
１１                    逃げ部
１２                    透過部
１２ａ                  透過孔
１３                    透孔
２０                    スリーブホルダ
２１                    一方の円筒
２２                    前ホルダ部
２３                    他方の円筒
２４                    後ホルダ部
２５                    割スリーブ
２６                    下向傾斜面
２７                    角型突起部
２８                    フランジ部
３０                    下蓋ハウジング
３１                    嵌合突起
３２                    底部
３３                    中央隔壁
３４                    壁面
３５                    係止凹部
３６                    支持面部
３６Ａ                  被係止孔部
３７                    係止突起
３８                    係止孔
３９                    カバー体
４０                    左右ラッチ
４１                    胴部
４２                    脇部
４１Ａ、４１Ｂ、４１Ｃ  切片
４２Ａ                  切片
５０                    上下ラッチ
５１                    胴部
５２                    脇部
５２Ａ、５２Ｂ          切片
５３                    プレート
５３Ａ                  開口部
６０                    ケーシング
６１                    開口部
６２                    小孔
７０                    操作レバー
１００ａ                上側壁
１００ｂ                側壁
１００ｃ                底壁
Ｐ                      プラグ
Ａ、Ｂ                  嵌合部
１０１                  ホルダ
１０２                  扉面部
１０３                  アダプタハウジング
１０４                  シャッタ板
１０５                  操作レバー
１０６                  スリーブホルダ
Ｆ                      フェルール
Ｇ                      カップリングスリーブ
【図１】
2020067602.tif 000003
【図２】
2020067602.tif 000004
【図３】
2020067602.tif 000005
【図４】
2020067602.tif 000006
【図５】
2020067602.tif 000007
【図６】
2020067602.tif 000008
【図７】
2020067602.tif 000009
【図８】
2020067602.tif 000010
【図９】
2020067602.tif 000011
【図１０】
2020067602.tif 000012
【図１１】
2020067602.tif 000013
【図１２】
2020067602.tif 000014
【図１３】
2020067602.tif 000015
【図１４】
2020067602.tif 000016
【図１５】
2020067602.tif 000017
【図１６】
2020067602.tif 000018
【図１７】
2020067602.tif 000019
【図１８】
2020067602.tif 000020
【図１９】
2020067602.tif 000021
【図２０】
2020067602.tif 000022
【図２１】
2020067602.tif 000023
【図２２】
2020067602.tif 000024